(57)【要約】【課題】  再ファスナーの適用がバック成形前に平らなホイル帯の連続帯形成中に行われる方法を提供すること。【解決手段】  この発明は、ヘッド側の充填開口にＶ状に入れられた側面襞とスライダをもつ再ファスナーを有するホイルバックを製造する方法と装置に関する。この方法は次の工程を包含し：  平らなホイル帯には、後で形成された側面襞の上端を限定する窓状押し抜き（１０）並びにスライダ押し抜き（１１）が行われる。その後に二つの互いに相前後して位置して互いに結合された形帯並びに形帯のファスナー縁をライダー状に波及するスライダから成る再ファスナー形帯は、帯方向を横切って、スライダがスライダ押し抜き（１１）に位置するように平らなホイル帯上に載置される。再ファスナーは端部においてホイル帯と結合される。引き続いて、ホイル帯が襞付けステーションを通して案内され、この襞付けステーションでホイル帯が襞付けされ、前面並びに側面襞が形成される。再ファスナーが封継目によって側面襞の上端の組み入れの下で前面と結合される。最終的に、相前後して位置するホイル位置がバック状部分から成るバック連続体に対する別の封継目と結合され、バック連続体からホイルバックが分離される。
2008540193.tif 000002
【特許請求の範囲】
【請求項１】
ヘッド側開口にＶ状に入れられた側面襞とスライダを備える再ファスナーを有するホイルバックを製造する方法において、
ａ）平らなホイル帯には、後で形成された側面襞の上端を限定する窓状押し抜き並びにスライダ押し抜きが行われ；
ｂ）二つの互いに相前後して位置して互いに結合された形帯並びに形帯のファスナー縁をライダー状に波及するスライダから成る再ファスナー形帯は、帯方向を横切って、スライダがスライダ押し抜きに位置するように平らなホイル帯上に載置され、端部においてホイル帯と結合され；
ｃ）引き続いて、ホイル帯が襞付けステーションを通して案内され、この襞付けステーションでホイル帯が襞付けされ、前面並びに側面襞が形成され；
ｄ）再ファスナーが封継目によって側面襞の上端の組み入れの下で前面と結合され、
ｅ）相前後して位置するホイル位置がバック状部分から成るバック連続体に対する別の封継目と結合され；
ｆ）バック連続体からホイルバックが分離される
工程から成ることを特徴とする方法。
【請求項２】
平らなホイル帯には、帯長手方向に横切って弱線が形成され、この弱線が窓状空所の高さに配置され、弱線と窓状空所の間にはそれぞれに５ｍｍ乃至５０ｍｍの幅広で弱化されていないホイル領域が残る寸法をもつ帯幅にわたり延びていることを特徴とする請求項１に記載の方法。
【請求項３】
バック連続体の縁部に沿って通過する長手方向封継目が帯長手方向に取付けられ、長手方向封継目には、弱線に接続する打ち抜き部が形成されることを特徴とする請求項２に記載の方法。
【請求項４】
バックが分離切断によってバック連続体から分離され、切断縁と隣接した弱線の間には帯状部分が残って、再ファスナーを遮蔽することを特徴とする請求項２或いは３に記載の方法。
【請求項５】
バックが弱線に沿ってバック連続体から分離されることを特徴とする請求項２或いは３に記載の方法。
【請求項６】
バックが分離切断によってバック連続体から分離され、切断縁と隣接した弱線の間には二つのホイル位置から成る帯状部分が残って、再ファスナーを遮蔽し、そして再ファスナーを遮蔽するホイル位置が再ファスナーのスライダを開放させるために、切断刃によりバックから分離されることを特徴とする請求項１に記載の方法。
【請求項７】
請求項１乃至６のいずれか一項に記載の方法を実施する装置において、
・ホイルロール（３）から平らなホイル帯（２）を取り除く巻解きステーション（１）と、
・平らなホイル帯（２）に側面襞の上端を限定する窓状押し抜き（１０）を発生させる打ち抜き工具をもつ打ち抜き装置（４）と、
・それぞれに二つの互いに相前後して位置して互いに結合された形帯並びに形帯のファスナー縁をライダー状に波及するスライダから成る予め既製された再ファスナー（６）の導入装置（５）と、
・ホイル帯の二重状に襞付けしてＶ状側面襞（１８）を入れる襞付け装置をもつ襞付けステーション（７）と、
・襞付けられた材料帯を横方向と長手方向に封印する封印ステーション（８）と、
・材料帯からホイルバック（１７）を分離するステーション（９）と、
を備えていて、襞付けステーション（７）前に配置された打ち抜き装置（４）が平らなホイル帯（２）にスライダ押し抜き（１１）を形成する追加的打ち抜き工具を有し、そして打ち抜き装置（４）と襞付けステーション（７）の間には装置が設けられ、この装置は再ファスナー（６）を帯長手方向を横切って、再ファスナー（６）のスライダ（１３）が付属されたスライダ押し抜き（１１）に位置するように、平らなホイル帯（２）上に位置決めすることを特徴とする装置。
【発明の詳細な説明】
【技術分野】
【０００１】
この発明は、ヘッド側の充填開口にＶ状に入れられた側面襞とスライダをもつ再ファスナーを有するホイルバックを製造する方法と装置に関する。
【背景技術】
【０００２】
ホイルバックの再ファスナーは二つの形帯とその形帯を連結するスライダとから成る。形帯の一方がホイルバックの前面と連結されていて、他方の形帯がホイルバックの充填後に他の前面と連結できる。まず最初に平らなに位置するホイルバックはバック充填装置に充填品を送り込む。バックの充填が行われる。充填品はホイルバックの再ファスナーと前面の間に存在するか開口に導入される。その後にこの開口が封継目によって閉鎖される。記載された特徴事項を備えるホイルバックはとりわけ動物飼料を包装するように使用される。
【０００３】
記載された特徴事項を備えるホイルバックはドイツ実用新案第２０２０７３３３号明細書（特許文献１）から知られている。その製作は費用がかかる。バック製造に引き続いて、再ファスナーが後方接続された当接面に適用される。このために既に製作されたホイルバックがバックのヘッド領域に開かれて、再ファスナーをその下に位置するホイル帯に載置させ、このホイル帯と結合させる。その後に開かれたホイル部分が戻し襞付けされ、欠損する封継目に取付けられる。再ファスナーを適用するのに必要な装置は複数工程を実施しなければならなく、著しい場所の必要性を有する。再ファスナーの適用を後方接続された当接部分の回避の下で通常バック製造方法に一体化する要求が生じる。
【特許文献１】ドイツ実用新案第２０２０７３３３号明細書
【発明の開示】
【発明が解決しようとする課題】
【０００４】
この背景から、この発明の課題は、再ファスナーの適用がバック成形前に平らなホイル帯の連続帯形成中に行われる方法を提供することである。
【課題を解決するための手段】
【０００５】
この発明の対象とこの課題の解決策は、請求項１に基づくホイルバックを製造する方法である。この発明の方法は、次の工程：
ａ）平らなホイル帯には、後で形成された側面襞の上端を限定する窓状押し抜き並びにスライダ押し抜きが行われ；
ｂ）二つの互いに相前後して位置して互いに結合された形帯並びに形帯のファスナー縁をライダー状に波及するスライダから成る再ファスナー形帯は、帯方向を横切って、スライダがスライダ押し抜きに位置するように平らなホイル帯上に載置され、端部においてホイル帯と結合され；
ｃ）引き続いて、ホイル帯が襞付けステーションを通して案内され、この襞付けステーションでホイル帯が襞付けされ、前面並びに側面襞が形成され；
ｄ）再ファスナーが封継目によって側面襞の上端の組み入れの下で前面と結合され、
ｅ）相前後して位置するホイル位置がバック状部分から成るバック連続体に対する別の封継目と結合され；
ｆ）バック連続体からホイルバックが分離される
から成ることを特徴とする。
【０００６】
この発明は、ホイル帯が襞付けステーションに通過し、この襞付けステーションにはホイル帯が襞付けされて、側面襞が形成される前に、再ファスナーを平らなホイル帯に適用する考慮を基礎としている。再ファスナーのこの発明による適用は現バック製造装備に統合され、この発明による方法はバック製造装備に既に存在する打ち抜き装置と襞付け装置により使用される。この場合には、無論、再ファスナーがまず最初に端部にのみホイル帯と連結されるので、再ファスナーがホイル帯の輸送の際に装備によって特に襞付け装置に移動され得るという技術問題を解決する。再ファスナー形帯とホイル帯の間には開口が残らなければならなく、それによりバックがヘッド側端に充填され得る。バック充填後初めて、この開口が形帯の溶接によってホイルバックの前面で閉じられる。記載された技術問題はこの発明によると方法工程ａ）とｂ）によって解決される。この発明によると、ホイル帯には、スライダ押し抜きが形成されていて、このスライダ押し抜きはスライダの位置に正確に位置し、帯走行の際にバック製造装備によって、特に帯走行の際にも襞付けステーションの案内薄板を介してホイル走行方向と反対に再ファスナーとスライダの移動を阻止する。スライダが付属されたスライダ押し抜きに同じに固定されている。スライダ押し抜きの際には、最も簡単な場合に丸い孔が大切であり、その孔の直径がスライダ幾何学に適合されている。
【０００７】
この発明による方法の別の構成によると、平らなホイル帯には、帯長手方向に横切って弱線が形成され、この弱線が窓状空所の高さに配置され、弱線と窓状空所の間にはそれぞれに５ｍｍ乃至５０ｍｍの幅広で弱化されていないホイル領域が残る寸法をもつ帯幅にわたり延びている。弱線の場合には、例えば打ち抜きにより製造された穿孔或いはレザー技術により製造された弱線が大切である。ホイル帯は襞付けステーションにおいて襞付け工具の縁が穿孔／弱線と空所の間の弱化されていないホイル領域に当接するように案内されている。ホイル帯をホース状帯へ襞付けは三角状襞付け薄板の使用の下で行われ、窓状押し抜きは中心に三角状薄板を介して案内される。
【０００８】
バック連続体の縁部に沿って通過する長手方向封継目が帯長手方向に取付けられ得る。この場合には、長手方向封継目には、目的に適って弱線に接続する打ち抜き切断が設けられている。
【０００９】
バックがバック連続体から異なった形式で分離され得る。この発明による方法の実施態様は、バックが分離切断によってバック連続体から分離され、切断縁と隣接した弱線の間には帯状部分が残って、再ファスナーを遮蔽することを企図する。二重層状帯がホイルバックの充填後にその上縁に横方向封継目により封印されるときに、形帯が独創性ファスナーとして利用され得る。ホイルバックの初回の使用では、上側形帯が分離されなければならなく、再ファスナーがホイルバックの上縁にて開放される。低下帯の封継目が破損していないならば、ホイルバックが前もって開放されなかったことが確保されている。
【００１０】
この発明による方法の範囲には、例えば帯遅延によって分離すべきバック上に帯長手方向に張力が伝達されるので、バックが弱線に沿ってもバック連続体から分離され得る。バックはバック連続体から弱線に沿って引き裂かれる。引き裂かれたホイルバックの床側端には、残留部材が残っていて、バック底を形成封印する材料として利用され得る。
【００１１】
この発明による方法の別の構成は、バックが分離切断によってバック連続体から分離され、切断縁と隣接した弱線の間には二つのホイル位置から成る帯状部分が残って、再ファスナーを遮蔽し、そして再ファスナーを遮蔽するホイル位置が再ファスナーのスライダを開放させるために、切断刃によりバックから分離されることを企図する。この方法のこの実施態様では、克服するホイル部分がバック襞付けとバック溶接の後に上へ折り畳みと切断によって分離される。それにより長手方向封継目に傾斜されていない滑らかなホイル縁が生じる。
【００１２】
この発明の対象は方法を実施する装置であり、・ホイルロールから平らなホイル帯を取り除く巻解きステーションと、
・平らなホイル帯に側面襞の上端を限定する窓状押し抜きを発生させる打ち抜き工具をもつ打ち抜き装置と、
・それぞれに二つの互いに相前後して位置して互いに結合された形帯並びに形帯のファスナー縁をライダー状に波及するスライダから成る予め既製された再ファスナーの導入装置と、
・ホイル帯の二重状に襞付けしてＶ状側面襞を入れる襞付け装置をもつ襞付けステーションと、
・襞付けられた材料帯を横方向と長手方向に封印する封印ステーションと、
・材料帯からホイルバックを分離するステーションと、
を備えていて、襞付けステーション前に配置された打ち抜き装置が平らなホイル帯にスライダ押し抜きを形成する追加的打ち抜き工具を有し、そして打ち抜き装置と襞付けステーションの間には装置が設けられ、この装置は再ファスナーを帯長手方向を横切って、再ファスナーのスライダが付属されたスライダ押し抜きに位置するように、平らなホイル帯上に位置決めする。
【発明を実施するための最良の形態】
【００１３】
次に、この発明は、実施例のみを図示する図面に基づいて説明される：
【実施例】
【００１４】
図１に図示された装備は、ホイルロール３から平らなホイル帯２を引き出す巻解きステーション１、打ち抜き装置４、予め既製された再ファスナー６の導入装置５、ホイル帯２を二重層状に襞付けしてＶ状側面襞を入れる襞付け装置を備える襞付けステーション７、襞付けされた材料帯を横方向と長手方向に封印する封印ステーション８並びに材料帯からホイルバックを分離するステーション９を包含する。平らなホイル帯２には、打ち抜き装置４に窓状押し抜き１０並びにスライダ押し抜き１１が形成されていて（図２）、窓状押し抜きが遅れて形成された側面襞の上端を限定する。材料帯に導入された再ファスナー６は二つの相前後して位置して互いに連結された形帯１２並びに形帯のファスナー縁をライダー状に波及するスライダ１３から成る。予め既製された再ファスナー６は、スライダ１３がスライダ押し抜き１１に位置し、端部１４にてホイル帯２と連結されるように、平らなホイル帯２上に載置される。ホイル帯が襞付けステーションに導入される前に、図２は載置する再ファスナー６をもつホイル帯を示す。襞付けステーション７では、ホイル帯が二重層状に襞付けされて、側面襞に入れられる。次の封印ステーション８では、再ファスナー６は封継目によって側面襞の上端の組入れの下でバックの前面と連結されて、相前後して位置するホイル位置がバック状部分から成るバック連続体１６に対する別の封継目により連結される。最終ステーション９ではバック連続体１６からホイルバックが分離されている。
【００１５】
方法製品は図３ａに図示されている。図３ａに図示されたホイルバック１７は二つの前面、前面間に入ったＶ状側面襞１８とバックのヘッド側開口に再ファスナー６とを有する。再ファスナー６は二つの形帯１２と形帯を連結させるスライダ１３とから成る。形帯１２の一方がバックの前面と連結されている。他方の形帯はバックの充填後に他方の前面と連結できる。バックの相前後して位置するホイル位置が横方向と長手方向封継目１５によって両側に且つ側面襞１８の縁に沿って連結されていて、側面襞１８に沿って延びている長手方向封継目１８は底からバックの上縁にまで延びている。スライダ１３を含めた再ファスナー６は上バック縁に対する間隔をおいてバック内部に配置されている。バックの前面がスライダ１３の寸法に適合したスライダ押し抜き１１を含有し、この押し抜きにはスライダ１３がバックの一回の使用前に位置決めされている。
【００１６】
ホイルバック１７の前面はバックの上端には再ファスナーを遮蔽する形帯状部分２０を有し、帯状部分がスライダの高さに或いはスライダの下部に配置された弱線２１に沿って引き裂きできる。実施例では、打ち抜きによって製造された穿孔から成る。光学的に要求する引き裂き縁が所望されるときに、弱線はレザー技術により製造され得る。穿孔線２１の端部には、打ち抜き線２２が接続して、この打ち抜き線は長手方向封継目１９によってバックの外縁まで延びている。側面襞１８は穿孔線２１の下部で終了する。帯状部分２０は穿孔線２１と接続する打ち抜き線２２に沿ってホイルバック１７から分離できる。この場合には再ファスナー６は開放される。
【００１７】
穿孔線２１は平らな材料帯に形成されて図２に図示されている。図２は、穿孔線２１が帯幅にわたり穿孔と窓状押し抜き１０の間にそれぞれに５ｍｍ乃至５０ｍｍより幅広く穿孔されていないホイル領域２３が残留する寸法で延びている。図３ａに図示されたホイルバック１７を製造するために、バックは分離切断によってバック連続体から分離されて、切断縁と隣接した穿孔線２１の間には再ファスナーを遮蔽する帯状部分が残留する。
【００１８】
図３ａに図示されたホイルバックは、例えば動物飼料を包装するように使用される。充填はバックのヘッドにて行われる。充填品は、再ファスナーとホイルバックの前面の間に存在する開口に導入される。その後にこの開口が封継目によって閉鎖される。追加的に帯状部分の上縁の独創性ファスナーとして封印されて、帯状部分がホイルバックの一回使用では引き裂かれる。封印は封継目２４によって行われ、この封継目はホイル位置を連結させる。バック充填装備では、ホイルバックの底は立て底に対して襞付けされる。
【００１９】
ホイルバックの図３ｂに図示された実施態様では、予め既製されたホイルバックのスライダ１３が解放される。それは図１に図示された装備では、バックが穿孔線２１に沿ってバック連続体から分離され得る。底側端には残留部材２５が残留し、スライダ押し抜き１１を含有し、バックの充填後に底襞付けと一緒に襞付けられる。
【００２０】
穿孔線２１の形成は強制的に必要ではない。図３ｃに図示されたホイルバックを製造するために、バックが分離切断によってバック連続体16から分離される。この場合には切断縁と再ファスナー６の間には二つのホイル位置から成る帯状部分が残留し、その帯状部分は再ファスナー６を遮蔽する。再ファスナーを遮蔽するホイル位置が最終作業ステーションには上開きと切断によって分離される。それによりバックの上端ホイル縁が滑らかであり、穿孔引き裂き点を有する。
【図面の簡単な説明】
【００２１】
【図１】ヘッド側開口にＶ状に入れられた側面襞とスライダを備える再ファスナーを有するホイルバックを製造する装備のブロック略図を概略的に示す。
【図２】ホイル帯が図１に図示された装備の襞付けステーションに導入される前に、この発明により形成された押し抜きを備えるホイル帯から断面を概略的に示す。
【図３ａ】図１に図示された装備により製造され得る方法製品を概略的に示す。
【図３ｂ】図１に図示された装備により製造され得る他の方法製品を概略的に示す。
【図３ｃ】図１に図示された装備により製造され得る別の方法製品を概略的に示す。
【符号の説明】
【００２２】
１．．．．．巻解きステーション
２．．．．．ホイル帯
３．．．．．ホイルロール
４．．．．．打ち抜き装置
５．．．．．導入装置
６．．．．．再ファスナー
７．．．．．襞付けステーション
８．．．．．封印ステーション
９．．．．．最終ステーション
１０．．．．押し抜き
１１．．．．スライダ押し抜き
１２．．．．形帯
１３．．．．スライダ
１４．．．．端部
１６．．．．バック連続体
１７．．．．ホイルバック
１８．．．．側面襞
１９．．．．長手方向封継目
２０．．．．帯状部分
２１．．．．穿孔線
２２．．．．打ち抜き線
２３．．．．ホイル領域
２４．．．．封継目
２５．．．．残留部材
【図１】
2008540193.tif 000003
【図２】
2008540193.tif 000004
【図３ａ】
2008540193.tif 000005
【図３ｂ】
2008540193.tif 000006
【図３ｃ】
2008540193.tif 000007
【国際調査報告】
2008540193.tif 000008
2008540193.tif 000009
2008540193.tif 000010
2008540193.tif 000011